(57)【特許請求の範囲】
【請求項１】
内部電極および圧電体層が積層された長手方向と幅方向とを有する積層体と、該積層体の積層方向と直交する少なくとも一方主面に前記内部電極と電気的に接続された表面電極とを備え、
前記内部電極は第１の極と第２の極とを含むとともに、前記積層体は前記内部電極の前記第１の極および前記第２の極が積層方向に重なる活性部と該活性部以外の不活性部とを含み、
一方主面側に配置された前記内部電極は前記活性部と前記不活性部との境界近傍に位置する端部が他方主面側に向けて湾曲しており、
前記表面電極が、前記長手方向および前記幅方向において前記活性部から前記不活性部にかけて設けられており、かつ前記幅方向において前記内部電極の湾曲に沿って湾曲していることを特徴とする圧電アクチュエータ。
【請求項２】
前記一方主面側に配置された前記内部電極は前記一方主面に近づくにしたがって前記端部の湾曲の度合いが大きくなっていることを特徴とする請求項１に記載の圧電アクチュエータ。
【請求項３】
前記積層体の他方主面に最も近い前記内部電極は平坦であることを特徴とする請求項１
または請求項２に記載の圧電アクチュエータ。
【請求項４】
配線導体を有するフレキシブル基板を備え、導電性接合部材を介して前記表面電極と前
記配線導体とが電気的に接続されるように前記フレキシブル基板の一部が前記積層体の前記一方主面に接合されていることを特徴とする請求項１乃至請求項３のうちのいずれかに記載の圧電アクチュエータ。
【請求項５】
請求項１乃至請求項４のうちのいずれかに記載の圧電アクチュエータと、前記積層体の他方主面に接合された振動板とを有することを特徴とする圧電振動装置。
【請求項６】
前記圧電アクチュエータと前記振動板とが変形可能な接合部材を用いて接合されている
ことを特徴とする請求項５に記載の圧電振動装置。
【請求項７】
請求項１乃至請求項４のうちのいずれかに記載の圧電アクチュエータと、電子回路と、
ディスプレイと、筐体とを有しており、前記積層体の他方主面が前記ディスプレイまたは前記筐体に接合されていることを特徴とする携帯端末。
【請求項８】
前記圧電アクチュエータと前記ディスプレイまたは前記筐体とが変形可能な接合部材を
用いて接合されていることを特徴とする請求項７に記載の携帯端末。
【発明の詳細な説明】
【技術分野】
【０００１】
本発明は、圧電振動装置、携帯端末に好適な圧電アクチュエータ、圧電振動装置および携帯端末に関するものである。
【背景技術】
【０００２】
圧電アクチュエータとして、図12に示すように、内部電極101と圧電体層102とが複数積層された積層体103の表面に表面電極104を形成してなるバイモルフ型の圧電素子10を用いたものが知られている（特許文献１を参照）。【０００３】
また、圧電素子の主面にフレキシブル基板を導電性接合部材で接合して、圧電素子の表面電極とフレキシブル基板の配線導体とを電気的に接続させることが知られている（特許文献２を参照）。【０００４】
更には、バイモルフ型の圧電素子の長さ方向における中央部や一端を振動板に固定した圧電振動装置が知られている（特許文献３、４を参照）。
【先行技術文献】
【特許文献】
【０００５】
【特許文献１】特開2002−10393号公報
【特許文献２】特開平６−14396号公報
【特許文献３】国際公開第2005／004535号
【特許文献４】特開2006−238072号公報
【発明の概要】
【発明が解決しようとする課題】
【０００６】
図12に示すような圧電アクチュエータは、主面が屈曲するような屈曲振動を生じさせることができる。また、圧電振動装置、携帯端末等に適用することで、これらの装置の振動源とすることができる。【０００７】
ところで、近年、省エネの要求がさらに高まっており、より一層小さな電力で大きな屈曲振動が得られるものが望まれている。【０００８】
本発明は、上記の事情に鑑みて案出されたものであり、その目的は、より大きな屈曲振動が得られる圧電アクチュエータ、圧電振動装置および携帯端末を提供することである。
【課題を解決するための手段】
【０００９】
本発明の圧電アクチュエータは、内部電極および圧電体層が積層された長手方向と幅方向とを有する積層体と、該積層体の積層方向と直交する少なくとも一方主面に前記内部電極と電気的に接続された表面電極とを備え、前記内部電極は第１の極と第２の極とを含むとともに、前記積層体は前記内部電極の前記第１の極および前記第２の極が積層方向に重なる活性部と該活性部以外の不活性部とを含み、一方主面側に配置された前記内部電極は前記活性部と前記不活性部との境界近傍に位置する端部が他方主面側に向けて湾曲しており、前記表面電極が、前記長手方向および前記幅方向において前記活性部から前記不活性部にかけて設けられており、かつ前記幅方向において前記内部電極の湾曲に沿って湾曲していることを特徴とする。
【００１０】
本発明の圧電振動装置は、前記圧電アクチュエータと、該圧電アクチュエータの前記他方主面に接合された振動板とを有することを特徴とする。【００１１】
本発明の携帯端末は、前記圧電アクチュエータと、電子回路と、ディスプレイと、筐体とを有しており、前記圧電アクチュエータの前記他方主面が前記ディスプレイまたは前記筐体に接合されていることを特徴とする。
【発明の効果】
【００１２】
本発明によれば、内部電極の端部が湾曲していることにより、曲げの方向の力を引き出しやすくなることから、より大きな屈曲振動をすることができる圧電アクチュエータを実現することができる。
【図面の簡単な説明】
【００１３】
【図１】（ａ）は本発明の圧電アクチュエータの実施の形態の一例を示す概略斜視図であり、(ｂ)は（ａ）に示すＡ−Ａ線で切断した概略断面図であり、（ｃ）は（ａ）に示すＢ−Ｂ線で切断した概略断面図である。
【図２】図１（ａ）に示すＣ−Ｃ線で切断した概略断面図である。
【図３】図２の他の例を示す概略断面図である。
【図４】図２の他の例を示す概略断面図である。
【図５】図２の他の例を示す概略断面図である。
【図６】図２の他の例を示す概略断面図である。
【図７】（ａ）は本発明の圧電アクチュエータの実施の形態の他の例を示す概略斜視図であり、(ｂ)は（ａ）に示すＢ−Ｂ線で切断した概略断面図である。
【図８】本発明の実施の形態の圧電振動装置を模式的に示す概略斜視図である。
【図９】本発明の実施の形態の携帯端末を模式的に示す概略斜視図である。
【図１０】図９に示すＡ−Ａ線で切断した概略断面図である。
【図１１】図９に示すＢ−Ｂ線で切断した概略断面図である。
【図１２】従来の圧電アクチュエータの実施の形態の一例を示す概略斜視図であり、(ｂ)は（ａ）に示すＡ−Ａ線で切断した概略断面図であり、（ｃ）は（ａ）に示すＢ−Ｂ線で切断した概略断面図である。
【発明を実施するための形態】
【００１４】
本発明の圧電アクチュエータの実施の形態の一例について、図面を参照して詳細に説明する。
【００１５】
図１（ａ）は本発明の圧電アクチュエータの実施の形態の一例を示す概略斜視図であり、図１(ｂ)は図１（ａ）に示すＡ−Ａ線で切断した概略断面図であり、図１（ｃ）は図１（ａ）に示すＢ−Ｂ線で切断した概略断面図である。また、図２は図１（ａ）に示すＣ−Ｃ線で切断した概略断面図である。
【００１６】
図１に示す本実施形態の圧電アクチュエータ１は、内部電極２および圧電体層３が積層された積層体４と、積層体４の少なくとも一方主面に内部電極２と電気的に接続された表面電極５とを備え、内部電極２は第１の極21と第２の極22とを含むとともに、積層体４は内部電極２の第１の極21および第２の極22が積層方向に重なる活性部41と活性部41以外の不活性部42とを含み、一方主面側に配置された内部電極２は活性部41と不活性部42との境界近傍に位置する端部が他方主面側に向けて湾曲している。
【００１７】
圧電アクチュエータ１は圧電素子10を含み、この圧電素子10を構成する積層体４は、内部電極２および圧電体層３が積層されてなるもので、複数の内部電極２が積層方向に重なる活性部41とそれ以外の不活性部42とを有し、例えば長尺状に形成されている。携帯端末のディスプレイまたは筐体に取り付ける圧電アクチュエータの場合には、積層体４の長さとしては、例えば18ｍｍ〜28ｍｍが好ましく、22ｍｍ〜25ｍｍが更に好ましい。積層体４の幅は、例えば１ｍｍ〜６ｍｍが好ましく、３ｍｍ〜４ｍｍが更に好ましい。積層体４の厚みは、例えば0.2ｍｍ〜1.0ｍｍが好ましく、0.4ｍｍ〜0.8ｍｍが更に好ましい。
【００１８】
積層体４を構成する内部電極２は、圧電体層３を形成するセラミックスと同時焼成により形成されたもので、第１の極21および第２の極22からなる。例えば、第１の極21がグランド極となり、第２の極22が正極または負極となる。圧電体層３と交互に積層されて圧電体層３を上下から挟んでおり、積層順に第１の極21および第２の極22が配置されることにより、それらの間に挟まれた圧電体層３に駆動電圧を印加するものである。この形成材料として、例えば圧電セラミックスとの反応性が低い銀や銀−パラジウム合金を主成分とする導体、あるいは銅、白金などを含む導体を用いることができるが、これらにセラミック成分やガラス成分を含有させてもよい。
【００１９】
図１に示す例では、第１の極21および第２の極22の端部がそれぞれ積層体４の対向する一対の側面に互い違いに導出されている。携帯端末のディスプレイまたは筐体に取り付ける圧電アクチュエータの場合には、内部電極２の長さは、例えば17ｍｍ〜25ｍｍが好ましく、21ｍｍ〜24ｍｍが更に好ましい。内部電極２の幅は、例えば１ｍｍ〜５ｍｍが好ましく、２ｍｍ〜４ｍｍが更に好ましい。内部電極２の厚みは、例えば0.1〜５μｍが好ましい。
【００２０】
積層体４を構成する圧電体層３は、圧電特性を有するセラミックスで形成されたもので、このようなセラミックスとして、例えばチタン酸ジルコン酸鉛（ＰｂＺｒＯ３−ＰｂＴｉＯ３）からなるペロブスカイト型酸化物、ニオブ酸リチウム（ＬｉＮｂＯ３）、タンタル酸リチウム（ＬｉＴａＯ３）などを用いることができる。圧電体層３の１層の厚みは、低電圧で駆動させるために、例えば0.01〜0.1ｍｍ程度に設定することが好ましい。また、大きな屈曲振動を得るために、200ｐｍ／Ｖ以上の圧電ｄ31定数を有することが好ましい。
【００２１】
積層体４の少なくとも一方主面には、内部電極２と電気的に接続された表面電極５が設けられている。図１に示す形態における表面電極５は、大きな面積の第１の表面電極51、小さな面積の第２の表面電極52および第３の表面電極53で構成されている。図１に示すように、例えば、第１の表面電極51は第１の極21となる内部電極２と電気的に接続され、第２の表面電極52は一方主面側に配置された第２の極22となる内部電極２、第３の表面電極53は他方主面側に配置された第２の極22となる内部電極２と電気的に接続されている。携帯端末のディスプレイまたは筐体に取り付ける圧電アクチュエータの場合には、第１の表面電極51の長さは、例えば17ｍｍ〜23ｍｍが好ましく、19ｍｍ〜21ｍｍが更に好ましい。第１の表面電極51の幅は、例えば１ｍｍ〜５ｍｍが好ましく、２ｍｍ〜４ｍｍが更に好ましい。第２の表面電極52および第３の表面電極53の長さは、例えば１ｍｍ〜３ｍｍとするのが好ましい。第２の表面電極52および第３の表面電極53の幅は、例えば0.5ｍｍ〜1.5ｍｍとするのが好ましい。
【００２２】
図１に示す圧電アクチュエータ１は、いわゆるバイモルフ型の圧電アクチュエータであって、表面電極５から電気信号が入力されて一方主面および他方主面が屈曲面となるように屈曲振動するものである。
【００２３】
そして、図２に示すように、一方主面側に配置された内部電極２は、活性部41と不活性部42との境界近傍に位置する端部が他方主面側に向けて湾曲している。
【００２４】
この構成によれば、内部電極２の端部が湾曲していることにより、屈曲するときの曲げの方向の力を引き出しやすくしている。これにより、圧電アクチュエータ１が、小さな電力でより大きな屈曲振動をすることができる。また、屈曲により効果的にエネルギーが用いられる結果として、一方主面に近い内部電極の活性部41と不活性部42との境界部（内部電極２と圧電体層３との境界部）に発生する不要な応力を低減してマイクロクラックの発生が低減され、圧電アクチュエータ１が劣化して変位量が小さくなるのを抑制することができる。
【００２５】
なお、湾曲の程度については、内部電極２の平面部に沿って引いた接線に対して、内部電極２の端部における端の接線が５°以上、特に10°以上傾くように湾曲するのが、曲げの方向の力を引き出しやすくする点で、効果的である。ここで、湾曲している領域は、断面で見て内部電極２の端から内部電極２の全長の10％以下の距離となる範囲であり、内部電極２に接する圧電体層３の結晶粒子が内部電極２の端から10個以上連続して接している領域である。特に、内部電極２の一辺の全てが湾曲することで、最も応力緩和効果が大きくなり、一辺の両端部分を最も湾曲させることで、さらに応力緩和効果が大きくなる。
【００２６】
また、図２では一方主面側に配置された内部電極２のみが他方主面側に向けて湾曲しているが、他方主面側に配置された内部電極２も一方主面側に向けて湾曲していてもよい。例えば、図３に示すように、両方の主面側（一方主面側および他方主面側）に配置された内部電極２における活性部41と不活性部42との境界近傍に位置する端部をともに湾曲させることにより、バイモルフ型の場合に両方の主面側にそれぞれ屈曲するときの曲げの方向の力を引き出しやすくなる。また、屈曲により効果的にエネルギーが用いられる結果として両方の主面に近い内部電極の活性部41と不活性部42との境界部（内部電極２と圧電体層３との境界部）に発生する不要な応力を低減してマイクロクラックの発生が低減され、圧電アクチュエータ１が劣化して変位量が小さくなるのを抑制することができる。
【００２７】
また、図４に示すように、内部電極２における活性部41と不活性部42との境界近傍に位置する端部を全て他方主面側に向けて湾曲させてもよく、これにより、特に他方主面に振動板を接合する場合に屈曲するときの曲げの方向の力をより引き出しやすくすることができる。この結果、内部電極の活性部41と不活性部42との境界部に発生する不要な応力を低減してマイクロクラックが生じることを低減し、圧電アクチュエータ１が劣化して変位量が小さくなるのを抑制することができる。
【００２８】
さらに、図４に示すように、内部電極２は一方主面に近づくにしたがって端部の湾曲の度合いが大きくなっているのが好ましい。この構成によって、更に屈曲するときの曲げの方向の力をより引き出しやすくすることができ、最も応力の加わる内部電極２の端部近傍（一方主面に最も近い内部電極２の端部近傍）の応力を結果的に緩和できるから、一方主面に最も近い内部電極２の活性部41と不活性部42との境界部（内部電極２と圧電体層３との境界部）にマイクロクラックが生じることがより低減できる。
【００２９】
一方、図５に示すように、積層体４の他方主面に最も近い内部電極２は平坦であってもよく、振動を加える対象物（後述する振動板など）に他方主面を貼り合わせたときに、振動を加える対象物と一体となって屈曲振動を起こしやすくなり、全体として屈曲振動の効率を上げることができる。
【００３０】
また、図６に示すように、表面電極５（第１の表面電極51）が活性部41から不活性部42にかけて幅方向にも広げて設けられていることで、屈曲するときの曲げの方向の力をさらに引き出しやすくすることができる。表面電極５とこれに最も近接する内部電極２との間に位置する圧電体層３に電圧をかけるような表面電極５と内部電極２の接続構造にすることによって、電圧の印加される領域が他の内部電極２同士で挟まれた圧電体層３の領域より長手方向に加えて幅方向にも広くすることができるため、不活性部42の領域にまで電圧が印加されて効果的に曲げの変位を誘起できるようになるからである。結果的に、内部電極２の活性部41と不活性部42との境界部（内部電極２と圧電体層３との境界部）に発生する応力を低減するとともに、マイクロクラックの発生を抑えることができる。
【００３１】
なお、図６に示すように、内部電極２の湾曲に沿って表面電極５を湾曲させるのがより効果的である。
【００３２】
また、図７に示すように、本発明の圧電アクチュエータ１は、配線導体61を有するフレキシブル基板６を備え、導電性接合部材７を介して表面電極５と配線導体61とが電気的に接続されるようにフレキシブル基板６の一部が積層体４の一方主面に接合されていてもよい。
【００３３】
フレキシブル基板６は、例えば樹脂フィルム中に２本の配線導体61が埋設されたフレキシブル・プリント配線基板であり、一方端には外部回路と接続するためのコネクタ（図示せず）が接続されている。
【００３４】
導電性接合部材７は、導電性接着剤やはんだ等が用いられるが、好ましくは導電性接着剤であるのがよい。例えばアクリル樹脂、エポキシ樹脂、シリコーン樹脂、ポリウレタン樹脂、あるいは合成ゴムなどの樹脂71中に金、銅、ニッケル、または金メッキした樹脂ボールなどからなる導体粒子72を分散させてなる導電性接着剤を用いることで、半田に比べて振動によって生じる応力を低減することができるためである。より好ましくは、導電性接着剤の中でも異方性導電材であるのがよい。異方性導電材は、電気的接合を担う導電粒子と接着を担う樹脂接着剤からなる。この異方性導電材は、厚み方向には導通が取れ、面内方向には絶縁が取れるため、狭ピッチの配線においても異極の表面電極間で電気的にショートすることがなく、フレキシブル基板６との接続部をコンパクトにすることができる。
【００３５】
なお、図１に示す圧電アクチュエータ１は、いわゆるバイモルフ型の圧電アクチュエータであって、表面電極５から電気信号が入力されて一方主面および他方主面が屈曲面となるように屈曲振動するものであるが、本発明の圧電アクチュエータとしては、バイモルフ型に限られず、ユニモルフ型であってもよく、例えば後述する振動板に圧電アクチュエータの他方主面を接合する（貼り合わせる）ことで、ユニモルフ型でも屈曲振動させることができる。
【００３６】
次に、本実施の形態の圧電アクチュエータ１の製造方法について説明する。
【００３７】
まず、圧電体層３となるセラミックグリーンシートを作製する。具体的には、圧電セラミックスの仮焼粉末と、アクリル系，ブチラール系等の有機高分子からなるバインダーと、可塑剤とを混合してセラミックスラリーを作製する。そして、ドクターブレード法、カレンダーロール法等のテープ成型法を用いることにより、このセラミックスラリーを用いてセラミックグリーンシートを作製する。圧電セラミックスとしては圧電特性を有するものであればよく、例えば、チタン酸ジルコン酸鉛（ＰｂＺｒＯ３−ＰｂＴｉＯ３）からなるペロブスカイト型酸化物等を用いることができる。また、可塑剤としては、フタル酸ジブチル（ＤＢＰ），フタル酸ジオクチル（ＤＯＰ）等を用いることができる。
【００３８】
次に、内部電極２となる導電性ペーストを作製する。具体的には、銀−パラジウム合金の金属粉末にバインダーおよび可塑剤を添加混合することによって導電性ペーストを作製する。この導電性ペーストを上記のセラミックグリーンシート上に、スクリーン印刷法を用いて内部電極２のパターンで塗布する。さらに、この導電性ペーストが印刷されたセラミックグリーンシートを複数枚積層し、所定の温度で脱バインダー処理を行なった後、900〜1200℃の温度で焼成し、平面研削盤等を用いて所定の形状になるよう研削処理を施すことによって、交互に積層された内部電極２および圧電体層３を備えた積層体４を作製する。
【００３９】
このような製造工程において、導電性ペーストが印刷されたセラミックグリーンシートを複数枚積層した後、例えば、プレス装置の上側（一方主面側）の型として凹みを有する金型や樹脂型を使用し、プレス装置の下側（他方主面側）の型として平坦な金型や樹脂型を使用することにより、図６に示す形状の圧電アクチュエータ１を作製することができる。
【００４０】
なお、積層体４は、上記の製造方法によって作製されるものに限定されるものではなく、内部電極２と圧電体層３とを複数積層してなる積層体４を作製できれば、どのような製造方法によって作製されてもよい。
【００４１】
その後、銀を主成分とする導電性粒子とガラスとを混合したものに、バインダー，可塑剤および溶剤を加えて作製した銀ガラス含有導電性ペーストを、表面電極５のパターンで積層体４の主面および側面にスクリーン印刷法等によって印刷して乾燥させた後、650〜750℃の温度で焼き付け処理を行ない、表面電極５を形成する。
【００４２】
なお、表面電極５と内部電極２とを電気的に接続する場合、圧電体層３を貫通するビアを形成して接続しても、積層体４の側面に側面電極を形成しても良く、どのような製造方法によって作製されてもよい。
【００４３】
次に、導電性接合部材７を用いて、フレキシブル基板６を圧電素子10に接続固定（接合）する。
【００４４】
まず、圧電素子10の所定の位置に導電性接合部材用ペーストをスクリーン印刷等の手法を用いて塗布形成する。その後、フレキシブル基板６を当接させた状態で導電性接合部材用ペーストを硬化させることにより、フレキシブル基板６を圧電素子10に接続固定する。なお、導電性接合部材用ペーストは、フレキシブル基板６側に塗布形成しておいてもよい。
【００４５】
導電性接合部材７が導電性接着剤の場合であって、導電性接着剤を構成する樹脂が熱可塑性樹脂からなる場合は、導電性接着剤を圧電素子10またはフレキシブル基板６の所定の位置に塗布形成した後、圧電素子10とフレキシブル基板６とを導電性接着剤を介して当接させた状態で加熱加圧することで、熱可塑性樹脂が軟化流動し、その後常温に戻すことで、再び熱可塑性樹脂が硬化し、フレキシブル基板６が圧電素子10に接続固定される。
【００４６】
特に、導電性接合部材７として異方性導電部材を用いる場合は、近接する導電粒子が接触しないように加圧量を制御する必要がある。
【００４７】
また、上述では、導電性接着剤を圧電素子10またはフレキシブル基板６に塗布形成する手法を示したが、予めシート状に形成された導電性接着剤のシートを圧電素子10とフレキシブル基板６との間に挟んだ状態で加熱加圧して接合してもよい。
【００４８】
本発明の圧電振動装置は、図８に示すように、圧電アクチュエータ１と、圧電アクチュエータ１の他方主面に取り付けられた振動板81とを有するものである。
【００４９】
振動板81は、矩形の薄板状の形状を有している。振動板81は、アクリル樹脂やガラス等の剛性および弾性が大きい材料を好適に用いて形成することができる。また、振動板81の厚みは、例えば0.4ｍｍ〜1.5ｍｍに設定される。
【００５０】
振動板81は、圧電アクチュエータ１の他方主面に、接合部材82を介して取り付けられている。接合部材82を介して、振動板81に他方主面の全面が接合されていてもよく、略全面が接合されていてもよい。
【００５１】
接合部材82は、フィルム状の形状を有している。また、接合部材82は、振動板81よりも柔らかく変形しやすいもので形成されており、振動板81よりもヤング率，剛性率，体積弾性率等の弾性率や剛性が小さい。すなわち、接合部材82は、変形可能であり、同じ力が加わったときに、振動板81よりも大きく変形する。そして、接合部材82の一方主面（図の＋ｚ方向側の主面）には圧電アクチュエータ１の他方主面（図の−ｚ方向側の主面）が全体的に固着され、接合部材82の他方主面（図の−ｚ方向側の主面）には振動板81の一方主面（図の＋ｚ方向側の主面）の一部が固着されている。
【００５２】
接合部材82は、単一のものであっても、いくつかの部材からなる複合体であっても構わない。このような接合部材82としては、例えば、不織布等からなる基材の両面に粘着剤が付着された両面テープや、弾性を有する接着剤である各種弾性接着剤等を好適に用いることができる。また、接合部材82の厚みは、圧電アクチュエータ１の屈曲振動の振幅よりも大きいことが望ましいが、厚すぎると振動が減衰されるので、例えば、0.1ｍｍ〜0.6ｍｍに設定される。ただし、本発明の圧電振動装置においては、接合部材82の材質に限定はなく、接合部材82が振動板81よりも固く変形し難いもので形成されていても構わない。また、場合によっては、接合部材82を有さない構成であっても構わない。
【００５３】
このような構成を備える本例の圧電振動装置は、電気信号を加えることによって圧電アクチュエータ１を屈曲振動させ、それによって、振動板81を振動させる圧電振動装置として機能する。なお、例えば、振動板81の長さ方向における他方端部（図の−ｙ方向端部や、振動板81の周縁部等を、図示せぬ支持部材によって支持しても構わない。
【００５４】
また、本例の圧電振動装置は、圧電アクチュエータ１の平坦な他方主面に振動板81が接合されている。これにより、圧電アクチュエータ１と振動板81とが強固に接合された圧電振動装置を得ることができる。
【００５５】
本発明の携帯端末は、図９〜図11に示すように、圧電アクチュエータ１と、電子回路（図示せず）と、ディスプレイ91と、筐体92とを有しており、圧電アクチュエータ１の他方主面が筐体92に接合されたものである。なお、図９は本発明の携帯端末を模式的に示す概略斜視図であり、図10は、図９に示すＡ−Ａ線で切断した概略断面図、図11は図９に示すＢ−Ｂ線で切断した概略断面図である。
【００５６】
ここで、圧電アクチュエータ１と筐体92とが変形可能な接合部材を用いて接合されているのが好ましい。すなわち、図10および図11においては接合部材82が変形可能な接合部材である。
【００５７】
変形可能な接合部材82で圧電アクチュエータ１と筐体92とを接合することで、圧電アクチュエータ１から振動が伝達されたとき、変形可能な接合部材82が筐体92よりも大きく変形する。
【００５８】
このとき、筐体92から反射される逆位相の振動を変形可能な接合部材82で緩和することができるので、圧電アクチュエータ１が周囲の振動の影響を受けずに筐体92へ強い振動を伝達させることができる。
【００５９】
中でも、接合部材82の少なくとも一部が粘弾性体で構成されていることで、圧電アクチュエータ１からの強い振動を筐体92へ伝える一方、筐体92から反射される弱い振動を接合部材82が吸収することができる点で好ましい。例えば、不織布等からなる基材の両面に粘着剤が付着された両面テープや、弾性を有する接着剤を含む構成の接合部材を用いることができ、これらの厚みとしては例えば10μｍ〜2000μｍのものを用いることができる。
【００６０】
そして、本例では、圧電アクチュエータ１はディスプレイ91のカバーとなる筐体92の一部に取り付けられ、この筐体92の一部が振動板922として機能するようになっている。
【００６１】
なお、本例では圧電アクチュエータ１が筐体92に接合されたものを示したが、圧電アクチュエータ１がディスプレイ91に接合されていてもよい。
【００６２】
筐体92は、１つの面が開口した箱状の筐体本体921と、筐体本体921の開口を塞ぐ振動板922とを有している。この筐体92（筐体本体921および振動板922）は、剛性および弾性率が大きい合成樹脂等の材料を好適に用いて形成することができる。
【００６３】
振動板922の周縁部は、筐体本体921に接合材93を介して振動可能に取り付けられている。接合材93は、振動板922よりも柔らかく変形しやすいもので形成されており、振動板922よりもヤング率，剛性率，体積弾性率等の弾性率や剛性が小さい。すなわち、接合材93は変形可能であり、同じ力が加わったときに振動板922よりも大きく変形する。
【００６４】
接合材93は、単一のものであっても、いくつかの部材からなる複合体であっても構わない。このような接合材93としては、例えば不織布等からなる基材の両面に粘着剤が付着された両面テープ等を好適に用いることができる。接合材93の厚みは、厚くなりすぎて振動が減衰されないように設定されており、例えば0.1ｍｍ〜0.6ｍｍに設定される。ただし、本発明の携帯端末においては、接合材93の材質に限定はなく、接合材93が振動板922よりも固く変形し難いもので形成されていても構わない。また、場合によっては、接合材93を有さない構成であっても構わない。
【００６５】
電子回路（図示せず）としては、例えば、ディスプレイ91に表示させる画像情報や携帯端末によって伝達する音声情報を処理する回路や、通信回路等が例示できる。これらの回路の少なくとも１つであってもよいし、全ての回路が含まれていても構わない。また、他の機能を有する回路であってもよい。さらに、複数の電子回路を有していても構わない。なお、電子回路と圧電アクチュエータ１とは図示しない接続用配線で接続されている。
【００６６】
ディスプレイ91は、画像情報を表示する機能を有する表示装置であり、例えば、液晶ディスプレイ，プラズマディスプレイ，および有機ＥＬディスプレイ等の既知のディスプレイを好適に用いることができる。なお、ディスプレイ91は、タッチパネルのような入力装置を有するものであっても良い。また、ディスプレイ91のカバー（振動板922）が、タッチパネルのような入力装置を有するものであっても構わない。さらに、ディスプレイ91全体や、ディスプレイ91の一部が振動板として機能するようにしても構わない。
【００６７】
また、本発明の携帯端末は、ディスプレイ91または筐体92が、耳の軟骨または気導を通して音情報を伝える振動を生じさせることを特徴とする。本例の携帯端末は、振動板（ディスプレイ91または筐体92）を直接または他の物を介して耳に接触させて、耳の軟骨に振動を伝えることによって音情報を伝達することができる。すなわち、振動板（ディスプレイ91または筐体92）を直接または間接的に耳に接触させて、耳の軟骨に振動を伝えることによって音情報を伝達することができる。これにより、例えば、周囲が騒がしいときにおいても音情報を伝達することが可能な携帯端末を得ることができる。なお、振動板（ディスプレイ91または筐体92）と耳との間に介在する物は、例えば、携帯端末のカバーであっても良いし、ヘッドホンやイヤホンでも良く、振動を伝達可能な物であればどんなものでも構わない。また、振動板（ディスプレイ91または筐体92）から発生する音を空気中に伝播させることにより、音情報を伝達するような携帯端末であっても構わない。さらに、複数のルートを介して音情報を伝達するような携帯端末であっても構わない。
【００６８】
本例の携帯端末は、効果的に振動を発生させることのできる圧電アクチュエータ１を用いて音情報を伝達することから、高品質な音情報を伝達することができる。
【実施例】
【００６９】
次に、本発明の圧電振動装置の具体例について説明する。図６に示した圧電アクチュエータを用いた圧電振動装置を作製し、その特性を測定した。【００７０】
圧電アクチュエータは、長さが23.5ｍｍ、幅が3.3ｍｍ、厚みが0.5ｍｍの長尺状とした。また、圧電アクチュエータは、厚みが30μｍの圧電体層と内部電極とが交互に積層された構造とし、圧電体層の総数は16層とした。圧電体層は、Ｚｒの一部をＳｂで置換したチタン酸ジルコン酸鉛で形成した。【００７１】
そして、内部電極を湾曲させるために、導電性ペーストが印刷されたセラミックグリーンシートを積層した後、プレス装置の上側（一方主面と接触する側）の型として凹みを有する樹脂の型を使用し、プレス装置の下側（他方主面と接触する側）の型として平坦な金型を使用して図６に示す形状の圧電アクチュエータを作製した。【００７２】
なお、表面電極は内部電極よりも両端で幅方向に１ｍｍずつ長くなるように印刷した。【００７３】
圧電アクチュエータの一方主面における中央部の両端部に対する図の＋ｚ方向への突出量は、圧電アクチュエータの厚みの10％（0.05ｍｍ）であった。また、圧電アクチュエータの他方主面は殆ど平坦であった。【００７４】
そして、金属製の枠にガラス板を両面テープで張り付けるとともに、ガラス板の一方の表面の中央に、圧電アクチュエータの他方主面を両面テープで貼り付け、ガラス板の他方の表面から１ｍｍ離れた位置にマイクを設置した。【００７５】
そして、周波数を0.3〜3.4ｋＨｚの範囲で変化させた実効値3.0Ｖの正弦波信号を圧電アクチュエータに入力し、マイクで検出される音圧を測定した。さらに、10万サイクルの正弦波信号を連続で加えて、連続測定の前後の音圧レベルを比較した。【００７６】
その結果、ともに低入力でも高い音圧特性が得られていた。これにより本発明の有効性が確認できた。
【符号の説明】
【００７７】
１：圧電アクチュエータ
10：圧電素子
２：内部電極
21：第１の極
22：第２の極
３：圧電体層
４：積層体
41：活性部
42：不活性部
５：表面電極
51：第１の表面電極
52：第２の表面電極
53：第３の表面電極
６：フレキシブル基板
61：配線導体
７：導電性接合部材
71：樹脂
72：導体粒子
81：振動板
82：接合部材
91：ディスプレイ
92：筐体
921：筐体本体
922：振動板
93：接合材
【図１】
0005537733.tif 000002
【図２】
0005537733.tif 000003
【図３】
0005537733.tif 000004
【図４】
0005537733.tif 000005
【図５】
0005537733.tif 000006
【図６】
0005537733.tif 000007
【図７】
0005537733.tif 000008
【図８】
0005537733.tif 000009
【図９】
0005537733.tif 000010
【図１０】
0005537733.tif 000011
【図１１】
0005537733.tif 000012
【図１２】
0005537733.tif 000013